(57)【要約】【課題】積層型のコネクタにおいて、半挿入状態の有無を検知可能とする。【解決手段】コネクタ１には、半挿入状態の雌端子金具８０が存在する状態で、第１ハウジング２と第２ハウジング３がロックされた場合に、第２ハウジング３の第２基部４５を積層方向外方に撓ませる抜止部２７，５７が設けられている。また、第２基部４５には、第１ハウジング２と第２ハウジング３が互いにロックされたときに撓みやすい部分に検知リブ７１が設けられている。検知リブ７１は、第２基部４５の下面から下方に突出するように形成されている。【選択図】図１６
2019149224.tif 000002
【特許請求の範囲】
【請求項１】
平板状の基部を備え、積層状態に組み付けられる複数のハウジングと、
前記ハウジングに形成され、前記基部に沿って複数の端子金具を幅方向に並列に収容する端子収容室と、
前記複数のハウジングを前記積層状態に保持する保持部と、
前記複数のハウジングのうち少なくとも１つの前記ハウジングに設けられ、前記積層状態において重なり合う別の前記ハウジングに挿入された前記端子金具の抜けを防止する抜止部と、
前記複数の端子金具の並び方向において前記保持部から離れた位置に配され、積層方向最外層の前記ハウジングの前記基部における積層方向外面である最外面から積層方向外方に突出した検知リブと、を備え、
前記検知リブは、半挿入状態にある前記端子金具と前記抜止部とが干渉した場合に、前記検知リブが形成された前記基部が積層方向外方に撓むことによって、積層方向外方に張り出すことを特徴とするコネクタ。
【請求項２】
積層方向最外層の前記ハウジングには、前記基部の前縁部からリブ状に立ち上がった形態であり、前記端子収容室に収容された前記端子金具の前方への移動を規制する前壁部が形成されており、
前記検知リブは、前記基部の後端部に設けられていることを特徴とする請求項１に記載のコネクタ。
【請求項３】
前記最外層のハウジングの前記基部には、前記保持部の積層方向の略延長線上に配され、前記最外面から積層方向外方に突出したガイドリブが形成されており、
前記ガイドリブの積層方向への突出端面の位置は、前記検知リブの積層方向への突出端面と積層方向に揃っているか、又は前記検知リブの積層方向への突出端面よりも積層方向外方に位置することを特徴とする請求項１または請求項２に記載のコネクタ。
【発明の詳細な説明】
【技術分野】
【０００１】
本発明はコネクタに関するものである。
【背景技術】
【０００２】
特許文献１には、複数の板状のハウジングを互いに積層状態に組み付けた積層型のコネクタが記載されている。このコネクタの各ハウジングは、端子金具を収容する端子収容室と、重なる相手側のハウジングの端子収容室に向けて突出する抜止部と、を備えている。端子金具には、抜止部が嵌まり込む溝が形成されている。抜止部は、ハウジング同士が重なり合うと、相手側のハウジングの端子収容室に収容された端子金具の溝に嵌まり込み、この端子金具が積層方向と直交する方向へ抜けるのを防止する。また、この抜止部は、弾性変形して端子金具に引っ掛かるランスとは異なり、ロック状態が外れる方向に撓まない。したがって、このコネクタでは、ロック状態が外れないようにリテーナ等を別途取り付ける必要がない。
【先行技術文献】
【特許文献】
【０００３】
【特許文献１】特開２０１７−４７３６号公報
【発明の概要】
【発明が解決しようとする課題】
【０００４】
こうしたコネクタは、ハウジングに端子金具を正規位置まで挿入した状態で納品されるのが一般的となっている。したがって、端子金具が半挿入状態のまま納品するとそれに気づかず、作業者が誤った状態で製品を組み付けるおそれがあることから、納品前に半挿入状態であるか否かを確実に検知したいという要望がある。
【０００５】
本発明は、上記従来の実情に鑑みてなされたものであって、積層型のコネクタにおいて、半挿入状態の有無を検知することができる技術の提供を解決すべき課題としている。
【課題を解決するための手段】
【０００６】
本発明のコネクタは、
平板状の基部を備え、積層状態に組み付けられる複数のハウジングと、
前記ハウジングに形成され、前記基部に沿って複数の端子金具を幅方向に並列に収容する端子収容室と、
前記複数のハウジングを前記積層状態に保持する保持部と、
前記複数のハウジングのうち少なくとも１つの前記ハウジングに設けられ、前記積層状態において重なり合う別の前記ハウジングに挿入された前記端子金具の抜けを防止する抜止部と、
前記複数の端子金具の並び方向において前記保持部から離れた位置に配され、積層方向最外層の前記ハウジングの前記基部における積層方向外面である最外面から積層方向外方に突出した検知リブと、を備え、
前記検知リブは、半挿入状態にある前記端子金具と前記抜止部とが干渉した場合に、前記検知リブが形成された前記基部が積層方向外方に撓むことによって、積層方向外方に張り出す
ところに特徴を有する。
【発明の効果】
【０００７】
本発明のコネクタでは、端子金具と抜止部との干渉によって、積層方向最外層のハウジングの基部が積層方向外方に撓む。このとき、検知リブは、端子金具と抜止部との干渉が生じない場合と比較して積層方向外方に張り出す。したがって、検知リブの張り出しの有無を確認することで、端子金具が半挿入状態にあるか否かを検知することができる。
【図面の簡単な説明】
【０００８】
【図１】実施例１のコネクタを斜め前方から見た斜視図である。
【図２】第１ハウジングを斜め前方から見た斜視図である。
【図３】第１ハウジングの正面図である。
【図４】第１ハウジングの背面図である。
【図５】第１ハウジングの底面図である。
【図６】第２ハウジングを斜め前方から見た斜視図である。
【図７】第２ハウジングの正面図である。
【図８】第２ハウジングの背面図である。
【図９】第２ハウジングの平面図である。
【図１０】第２ハウジングの底面図である。
【図１１】コネクタの正面図である。
【図１２】コネクタの背面図である。
【図１３】雌端子金具と抜止部が干渉することなく第１ハウジングと第２ハウジングが組み付けられた様子を示したＡ−Ａ線相当断面図である。
【図１４】雌端子金具と抜止部が干渉した様子を示したＡ−Ａ線相当断面図である。
【図１５】雌端子金具が正規位置まで挿入された状態で組み付けられたコネクタについて、検査用冶具を用いて半挿入状態の有無を検査する様子を示した説明図である。
【図１６】雌端子金具が半挿入位置にある状態で組み付けられたコネクタについて、検査用冶具を用いて半挿入状態の有無を検査する様子を示した説明図である。
【発明を実施するための形態】
【０００９】
（１）本発明のコネクタにおいて、積層方向最外層の前記ハウジングには、前記基部の前縁部からリブ状に立ち上がった形態であり、前記端子収容室に収容された前記端子金具の前方への移動を規制する前壁部が形成されるようにしてもよい。また、前記検知リブは、前記基部の後端部に設けられるようにしてもよい。
積層方向最外層のハウジングには、基部の前縁部からリブ状に立ち上がる前壁部が形成されているので、基部における前端側の部分は剛性が高くなっている。これに対し、基部の後端部は、前端部と比較して剛性が弱いので撓みやすくなっている。この撓みやすい位置に検知リブを設けることで、干渉時における端子金具と抜止部の不正な変形等を防止できる。
【００１０】
（２）前記最外層のハウジングの前記基部には、前記保持部の積層方向の略延長線上に配され、前記最外面から積層方向外方に突出したガイドリブが形成されるようにしてもよい。また、前記ガイドリブの積層方向への突出端面の位置は、前記検知リブの積層方向への突出端面と積層方向に揃っているか、又は前記検知リブの積層方向への突出端面よりも積層方向外方に位置するようにしてもよい。
この構成では、検知リブの積層方向への突出端面が、最外層のハウジングの基部が積層方向外方に撓んでいない状態においては、ガイドリブの積層方向への突出端面と積層方向に揃っているか、ガイドリブの積層方向への突出端面よりも積層方向内方に引っ込んでいる。これに対し、検知リブの積層方向への突出端面は、最外層のハウジングの基部が積層方向外方に撓んだ状態においては、ガイドリブの積層方向への突出端面よりも積層方向外方に張り出す。したがって、検査用冶具をガイドリブの積層方向への突出端面に摺設させた状態で検知リブ側に水平移動させれば、検知リブが当接したか否かによって、端子金具が半挿入状態となっているか否か検知することができる。このように、ガイドリブの積層方向への突出端面を基準位置とすることで、端子金具の半挿入状態を簡単且つ正確に検知することが可能となる。
【００１１】
＜実施例１＞
以下、本発明を具体化した実施例１を図１〜図１６を参照して説明する。なお、以下の説明において、前後方向については、図５，９，１０における下方及び図１３，１４における左方（不図示の相手側コネクタと嵌合する方向）を前方と定義する。上下方向については、複数のハウジング２，３の積層方向を上下方向と定義する。具体的には、図３，４，７，８，１１〜１６にあらわれる上下方向をそのまま上下方向と定義する。左右方向については、上下方向及び前後方向と直交する方向を左右方向と定義する。
【００１２】
＜コネクタ１＞
本実施例１のコネクタ１は、図１に示すように、複数（本実施例１では２つ）のハウジング２，３を互いに積層状態に組み付けた構成をなしている。コネクタ１は、平面視において左右方向に長い略矩形状をなしており、正面視において左右方向に長い扁平形状をなしている。各ハウジング２，３は、合成樹脂製であり、正面視において左右方向に長い扁平形状をなしている。
【００１３】
＜第１ハウジング２＞
第１ハウジング２は、図２〜図５に示すように、複数の雌端子金具８０を収容する第１端子収容部１０と、第１端子収容部１０の上面に形成されたロックアーム１１と、ロックアーム１１の左右方向において第１端子収容部１０の上面に形成された誤嵌合防止リブ１２と、誤嵌合防止リブ１２の後端部上面に載置するように配された架設部１３と、を備えている。
【００１４】
第１端子収容部１０は、正面視において左右方向に長い扁平形状をなしている。第１端子収容部１０は、平板状の第１基部１５を備えている。第１基部１５の下側（第２ハウジング３側）には、複数の雌端子金具８０を個別に収容可能な複数の第１端子収容室１６が形成されている。各第１端子収容室１６は、前後方向に細長い空間である。隣り合う第１端子収容室１６は、第１基部１５の下面（第２ハウジング３側の面）から下方（第２ハウジング３側）に延びる第１隔壁１７によって区画されている。雌端子金具８０は、第１基部１５の下面（第２ハウジング３側の面）に沿って幅方向（本実施例１では左右方向）に並列に収容される。
【００１５】
第１端子収容室１６は、後方に開放しており、後方から雌端子金具８０が挿入される。第１端子収容室１６に収容された雌端子金具８０は、第１前壁部１８によって前方への移動が規制される。第１前壁部１８は、第１基部１５の前端縁から下方（第２ハウジング３側）に向けてリブ状に突出して左右方向に延びている。第１前壁部１８は、第１基部１５に対して略直交する方向へ突出し、第１基部１５の全幅に亘って連続して形成されており、且つ１つの第１前壁部１８が、全ての第１端子収容室１６の前端を閉塞する形態となっている。
【００１６】
第１前壁部１８の前面には、複数の第１タブ挿入口１９が開口している。各第１タブ挿入口１９は、夫々、第１端子収容室１６の前端縁に連通している。第１タブ挿入口１９には、不図示の相手側端子金具（雄端子金具）の雄タブが挿入可能とされている。雌端子金具８０は、第１タブ挿入口１９を通じて第１端子収容室１６内まで進入した雄タブと接触可能となっており、雄タブと接触することで電気的に接続される。
【００１７】
第１端子収容室１６の左右両側には、第１基部１５の左右両端縁から下方（第２ハウジング３側）に突出して前後方向に延びる第１側壁部２０が形成されている。第１側壁部２０の前端縁は、第１前壁部１８の左右両端縁と連続している。
【００１８】
第１端子収容室１６の下側（第２ハウジング３側）には、図５に示すように、左右両側の第１側壁部２０をつなぐ第１梁部２３，２４，２５が設けられている。第１梁部２３，２４，２５は、第１端子収容室１６の並び方向に延びるように配されている。第１梁部２３，２４，２５は、第１端子収容部１０の後端部から前方（第１前壁部１８側）に向けて順番に配されている。第１前壁部１８と第１前側梁部２３との間、第１前側梁部２３と第１後側梁部２４との間、第１後側梁部２４と第１後端梁部２５との間には、それぞれ隙間が形成されている。
【００１９】
なお、上述した第１前壁部１８における左右両側部、上縁部、及び第１タブ挿入口１９間の仕切部は、第１隔壁１７、及び第１梁部２３，２４，２５よりも肉厚に形成されている。
【００２０】
第１端子収容部１０には、第１前側梁部２３の前端面から前方に向けて片持ち状に延びる第１ランス２６が形成されている。第１ランス２６は、第１端子収容室１６に挿入された雌端子金具８０を弾性的に引っ掛けて、雌端子金具８０の後方への抜けを防止することができる。第１ランス２６は、各第１端子収容室１６に対応して設けられている。雌端子金具８０が第１端子収容室１６に挿入されると、第１ランス２６は雌端子金具８０に押されて弾性変形する。さらに雌端子金具８０が進入して正規位置に到達すると、雌端子金具８０と第１ランス２６が干渉しなくなるので、第１ランス２６は弾性復帰する。これにより、雌端子金具８０は、第１ランス２６に引っ掛かり、後方への抜けが防止される。第１ランス２６の下面（第１端子収容室１６側とは反対側の面、第２ハウジング３側の面）には、略水平方向の延びる第１背合わせ面２６Ａが形成されている。
【００２１】
第１端子収容部１０には、第１前側梁部２３と第１後側梁部２４を連結した形態の複数の第１抜止部２７が形成されている。第１抜止部２７は、第１前側梁部２３と第１後側梁部２４との連結部分から下方（第２ハウジング３側）に突出した略ブロック状をなしている。各第１抜止部２７は互いに一定の間隔をあけて第１端子収容室１６の並び方向（本実施例１では左右方向）に配されている。第１抜止部２７同士の間隔は、後述の第２抜止部５７の幅寸法と同じか、あるいは第２抜止部５７の幅寸法よりも大きく形成されている。
【００２２】
各第１抜止部２７の上面（第１端子収容室１６側の面）は、第１前側梁部２３の上面（第１端子収容室１６側の面）と面一状に形成されており、第１後側梁部２４の上面（第１端子収容室１６側の面）とも面一状に形成されている。
【００２３】
各第１抜止部２７は、第１梁部２３，２４，２５の下面（第２ハウジング３側の面）よりも下方（第２ハウジング３側）に突出して、下方（第２ハウジング３側）に露出している。第１抜止部２７の下面（第２ハウジング３側の面）は、第１干渉後面２７Ａと、第１干渉接続面２７Ｂと、第１干渉前面２７Ｃとを有している。第１干渉後面２７Ａは、第１抜止部２７の下面の後端部を構成しており、略水平方向に沿って延びている。第１干渉前面２７Ｃは、第１抜止部２７の下面の前端部を構成しており、第１干渉後面２７Ａよりも下方（第２ハウジング３側）に配され、略水平方向に沿って延びている。第１干渉接続面２７Ｂは、第１干渉後面２７Ａの前端縁と第１干渉前面２７Ｃの後端縁に連続しており、後方から前方に向けて下方（第２ハウジング３側）に向かって傾斜している。
【００２４】
第１抜止部２７の前面は、第１規制面２７Ｄを構成しており、略垂直方向に沿って延びている。第１抜止部２７の前面は、第１前側梁部２３の後面と前後方向に揃っているか、あるいは第１前側梁部２３の後面よりも後方の位置に配されている。第１抜止部２７の後面は、第１後側梁部２４の前面と前後方向に揃っているか、あるいは第１後側梁部２４の前面よりも前方の位置に配されている。
【００２５】
複数の第１抜止部２７は、左右方向両端に配された一対の第１片側抜止部２７Ｘと、一対の第１片側抜止部２７Ｘの間に配された複数の第１両側抜止部２７Ｙと、から構成されている。第１片側抜止部２７Ｘは、第１両側抜止部２７Ｙよりも左右方向の幅寸法が小さい点で、第１両側抜止部２７Ｙと異なる。
【００２６】
隣り合う２つの第１抜止部２７の間には、後述する第２抜止部５７が挿通する第１挿通孔２８が形成されている。第２抜止部５７は、第１挿通孔２８を通じて、第１端子収容室１６内に進入可能となっている。第１挿通孔２８は、隣り合う２つの第１端子収容室１６が下方から目視可能となるように形成されている。したがって、１つの第２抜止部５７は、第１挿通孔２８を通じて、隣り合う２つの第１端子収容室１６内に進入可能となっている。
【００２７】
第１ハウジング２（第１端子収容部１０）の左右両側面の前端部の下端部には、図２，３に示すように、左右方向外方に突出した回動軸部３０が形成されている。回動軸部３０は、側面視において略下半分が半楕円形状をなしており、略上半分が矩形状をなしている。回動軸部３０の上面は、略水平方向に沿って延びた形状をなしている。
【００２８】
第１ハウジング２（第１端子収容部１０）の左右両側面には、回動軸部３０の周りを左右方向内方に凹ませた嵌合溝部３１が形成されている。嵌合溝部３１は、回動軸部３０の後側に位置する部分が下方（第２ハウジング３側）に開放している。嵌合溝部３１は、回動軸部３０の上側に位置する部分が前方に開放している。嵌合溝部３１には、後述する回動軸受部６６が嵌まり込むことが可能となっている。
【００２９】
第１ハウジング２（第１端子収容部１０）の左右両側面の後端部には、後述する第２ハウジング３のロック板部６２が引っ掛かってロックされるロック受部３２が形成されている。ロック受部３２の左右方向外側面は、正面視において下端縁から上方に向けて左右方向外方に上るように傾斜した傾斜面３２Ａと、この傾斜面３２Ａの上端縁から略鉛直方向に沿って延びる滑り面３２Ｂと、を有している。この滑り面３２Ｂの上端縁は、ロック受部３２の上面を構成する受面３２Ｃと連続している。受面３２Ｃは、略水平方向に沿って延びている。上述の第１抜止部２７は、前後方向においてロック受部３２よりも前方に位置し、第１前壁部１８よりも後方に位置している。
【００３０】
第１ハウジング２の左右両側面の上縁部には、左右両側面から左右方向外方に突出して前後方向に延びる上端リブ３３が形成されている。上端リブ３３は、第１ハウジング２の前端部（前端縁よりも少し後方寄りの位置）から後端縁まで延びている。
【００３１】
第１ハウジング２の左右両側面の後端縁には、左右両側面から左右方向外方に突出して上下方向に延びる後端リブ３４が形成されている。後端リブ３４は、左右両側面の上下方向全領域に亘って形成されている。後端リブ３４の上端縁は、上端リブ３３の後端縁と連続している。後端リブ３４の前端面は、ロック受部３２の後端面と連続している。
【００３２】
ロックアーム１１は、第１端子収容部１０（第１基部１５）の左右方向中央部における上面から上方に向けて突出した形状をなしている。ロックアーム１１は、相手側コネクタの受部（図示省略）に引っ掛かってロックし得る。ロックアーム１１は、第１端子収容部１０の上面における左右方向中央部の前端部から起立した支持部１１Ａと、支持部１１Ａの上端部から後方へ片持ち状に延びる延設部１１Ｂと、延設部１１Ｂの上面から積層方向外方（本実施例１では上方）に突出したロック片１１Ｃと、を備えている。
【００３３】
誤嵌合防止リブ１２は、第１端子収容部１０の上面から起立して前後方向に延びている。誤嵌合防止リブ１２としては、第１端子収容部１０の左右両側端縁から起立した２つの外側誤嵌合防止リブ１２Ａと、各外側誤嵌合防止リブ１２Ａとロックアーム１１との間に配された２つの内側誤嵌合防止リブ１２Ｂと、が設けられている。各誤嵌合防止リブ１２の前端面は、第１端子収容部１０の前端面と面一状に形成されている。各誤嵌合防止リブ１２は、第１端子収容部１０の前後方向全領域に亘って形成されている。上述した上端リブ３３は、外側誤嵌合防止リブ１２Ａの左右方向外側面の上端縁から左右方向外方に突出している。
【００３４】
架設部１３は、左右方向に並べて配された全ての誤嵌合防止リブ１２をつなぐように、誤嵌合防止リブ１２の後端部上面に配されている。架設部１３は、コネクタ１が相手側コネクタ（図示省略）と嵌合したときに、前端面が相手側コネクタの一部と当接することで、嵌合方向への移動を規制することができる。
【００３５】
＜第２ハウジング３＞
第２ハウジング３は、第１ハウジング２に対して、第１ハウジング２の下側から組み付けられる。第２ハウジング３は、図６〜図１０に示すように、複数の雌端子金具８０を収容する第２端子収容部４０と、第２端子収容部４０の左右両側縁から起立して前後方向に延びる側板部６０と、を備えている。
【００３６】
第２端子収容部４０は、第１抜止部２７と第２抜止部５７の数及び並びが異なる点を除いて、第１端子収容部１０と略同形状（略上下対称の形状）であり、略同じ大きさである。第２端子収容部４０は、正面視において左右方向に長い扁平形状をなしている。第２端子収容部４０は、平板状の第２基部４５を備えている。第２基部４５の上側（第１ハウジング２側）には、複数の雌端子金具８０を個別に収容可能な複数の第２端子収容室４６が形成されている。各第２端子収容室４６は、前後方向に細長い空間である。隣り合う第２端子収容室４６は、第２基部４５の上面（第１ハウジング２側の面）から上方（第１ハウジング２側）に延びる第２隔壁４７によって区画されている。雌端子金具８０は、第２基部４５の上面（第１ハウジング２側の面）に沿って幅方向（本実施例１では左右方向）に並列に収容される。
【００３７】
第２端子収容室４６は、後方に開放しており、後方から雌端子金具８０が挿入される。第２端子収容室４６に収容された雌端子金具８０は、第２前壁部４８によって前方への移動が規制される。第２前壁部４８は、第２基部４５の前端縁から上方（第１ハウジング２側）に向けてリブ状に突出して左右方向に延びている。第２前壁部４８は、第２基部４５に対して略直交する方向へ突出し、第２基部４５の全幅に亘って連続して形成されており、且つ１つの第２前壁部４８が、全ての第２端子収容室４６の前端を閉塞する形態となっている。
【００３８】
第２前壁部４８の前面には、複数の第２タブ挿入口４９が開口している。各第２タブ挿入口４９は、夫々、第２端子収容室４６の前端縁に連通している。第２タブ挿入口４９には、不図示の相手側端子金具（雄端子金具）の雄タブが挿入可能とされている。雌端子金具８０は、第２タブ挿入口４９を通じて第２端子収容室４６内まで進入した雄タブと接触すると、雄タブと電気的に接続される。
【００３９】
第２端子収容室４６の左右両側には、第２基部４５の左右両端縁から上方（第１ハウジング２側）に突出して前後方向に延びる第２側壁部５０が形成されている。第２側壁部５０の前端縁は、第２前壁部４８の左右両端縁と連続している。
【００４０】
第２端子収容室４６の上側（第１ハウジング２側）には、左右両側の第２側壁部５０をつなぐ第２梁部５３，５４，５５が設けられている。第２梁部５３，５４，５５は、第２端子収容室４６の並び方向に延びるように配されている。第２梁部５３，５４，５５は、第２端子収容部４０の後端部から前方（第２前壁部４８側）に向けて順番に配されている。第２前壁部４８と第２前側梁部５３との間、第２前側梁部５３と第２後側梁部５４との間、第２後側梁部５４と第２後端梁部５５との間には、それぞれ隙間が形成されている。
【００４１】
上述した第２前壁部４８における左右両側部、上縁部、及び第２タブ挿入口４９間の仕切部は、第２隔壁４７、及び第２梁部５３，５４，５５よりも肉厚に形成されている。
【００４２】
第２端子収容部４０には、第２前側梁部５３の前端面から前方に向けて片持ち状に延びる第２ランス５６が形成されている。第２ランス５６は、第２端子収容室４６に挿入された雌端子金具８０を弾性的に引っ掛かって、雌端子金具８０の後方への抜けを防止することができる。第２ランス５６は、各第２端子収容室４６に対応して設けられている。雌端子金具８０が第２端子収容室４６に挿入されると、第２ランス５６は雌端子金具８０に押されて弾性変形する。さらに雌端子金具８０が進入して正規位置に到達すると、雌端子金具８０と第２ランス５６が干渉しなくなるので、第２ランス５６は弾性復帰する。これにより、雌端子金具８０は、第２ランス５６に引っ掛かり、後方への抜けが防止される。第２ランス５６の上面（第２端子収容室４６側とは反対側の面、第１ハウジング２側の面）には、略水平方向の延びる第２背合わせ面５６Ａが形成されている。
【００４３】
第２端子収容部４０には、第２前側梁部５３と第２後側梁部５４を連結した形態の複数の第２抜止部５７が形成されている。第２抜止部５７は、第２前側梁部５３と第２後側梁部５４との連結部分から上方（第１ハウジング２側）に突出した略ブロック状をなしている。第２抜止部５７は一定の間隔をあけて第２端子収容室４６の並び方向（本実施例１では左右方向）に複数配されている。第２抜止部５７同士の間隔は、第１抜止部２７の幅寸法と同じか、あるいは第１抜止部２７の幅寸法よりも大きく形成されている。
【００４４】
各第２抜止部５７の下面（第２端子収容室４６側の面）は、第２前側梁部５３の上面（第２端子収容室４６側の面）と面一状に形成されており、第２後側梁部５４の下面（第２端子収容室４６側の面）とも面一状に形成されている。
【００４５】
各第２抜止部５７は、第２梁部５３，５４，５５の上面（第１ハウジング２側の面）よりも上方（第１ハウジング２側）に突出して、上方（第１ハウジング２側）に露出している。第２抜止部５７の上面（第１ハウジング２側の面）は、第２干渉後面５７Ａと、第２干渉接続面５７Ｂと、第２干渉前面５７Ｃとを有している。第２干渉後面５７Ａは、第２抜止部５７の上面の後端部を構成しており、略水平方向に沿って延びている。第２干渉前面５７Ｃは、第２抜止部５７の上面の前端部を構成しており、第２干渉後面５７Ａよりも上方（第１ハウジング２側）に配され、略水平方向に沿って延びている。第２干渉接続面５７Ｂは、第２干渉後面５７Ａの前端縁と第２干渉前面５７Ｃの後端縁に連続しており、後方から前方に向けて上方（第１ハウジング２側）に向かって傾斜している。
【００４６】
第２抜止部５７の前面は、第２規制面５７Ｄを構成しており、略垂直方向に沿って延びている。第２抜止部５７の前面は、第２前側梁部５３の後面と前後方向に揃っているか、あるいは第２前側梁部５３の後面よりも後方の位置に配されている。第２抜止部５７の後面は、第２後側梁部５４の前面と前後方向に揃っているか、あるいは第２後側梁部５４の前面よりも前方の位置に配されている。
【００４７】
第２前側梁部５３と第２後側梁部５４との間には、第２抜止部５７によって区切られた複数の第２挿通孔５８が形成されている。第１抜止部２７は、第２挿通孔５８を通じて第２端子収容室４６内に進入可能となっている。
【００４８】
複数の第２挿通孔５８は、左右方向両端に配された一対の第２外側挿通孔５８Ｘと、一対の第２外側挿通孔５８Ｘの間に配された複数の第２内側挿通孔５８Ｙと、から構成されている。第２外側挿通孔５８Ｘは、第２内側挿通孔５８Ｙよりも左右方向の幅寸法が小さい点で、第２内側挿通孔５８Ｙと異なる。第２外側挿通孔５８Ｘには第１片側抜止部２７Ｘが挿通可能となっており、第２内側挿通孔５８Ｙには第１両側抜止部２７Ｙが挿通可能となっている。第２外側挿通孔５８Ｘは、１つの第２端子収容室４６が下方から目視可能となるように形成されている。したがって、１つの第１片側抜止部２７Ｘは、第２外側挿通孔５８Ｘを通じて、１つの第２端子収容室４６内に進入可能となっている。一方、第２内側挿通孔５８Ｙは、隣り合う２つの第２端子収容室４６が下方から目視可能となるように形成されている。したがって、１つの第１両側抜止部２７Ｙは、第２内側挿通孔５８Ｙを通じて、隣り合う２つの第２端子収容室４６内に進入可能となっている。
【００４９】
各側板部６０は、夫々、側板部６０の後端部を除く大部分（前端部及び前後方向中央部）を構成する起立部６１と、側板部６０の後端部を構成するロック板部６２と、を備えている。各側板部６０の前端縁は、第２端子収容部４０の前端縁まで延びている。各側板部６０の後端縁は、第２端子収容部４０の後端部（第２端子収容部４０の後端縁から少し前方寄りの位置）まで延びている。
【００５０】
各側板部６０の内側面前端部には、第１ハウジング２の回動軸部３０を回動自在に支持する回動軸受部６６が形成されている。回動軸受部６６は、前方及び左右方向内方に開放しており、回動軸部３０の後方への移動を規制する後側受面６６Ａと、回動軸部３０の上方への移動を規制する上側受面６６Ｂと、回動軸部３０の左右方向外方への移動を規制する外側受面６６Ｃと、を有している。後側受面６６Ａ、上側受面６６Ｂ、及び外側受面６６Ｃは互いに連続している。上側受面６６Ｂの下面は、略水平方向に沿って延びている。
【００５１】
ロック板部６２は、第２端子収容部４０の左右両端縁の後端部上面から起立している。ロック板部６２の上端縁は、起立部６１の上端縁よりも上方まで延びている。ロック板部６２は、第２端子収容部４０の左右両端縁の後端部上面から起立した張出部６３と、張出部６３の左右方向内面の上端部から左右方向内方に突出したロック突部６４と、を有している。張出部６３は、左右方向に厚みを有する平板状をなしている。張出部６３の左右方向外側面は、起立部６１の左右方向外側面よりも左右方向外方に張り出している。張出部６３の左右方向内側面は、起立部６１の左右方向内側面よりも左右方向外方に張り出している。ロック突部６４は、起立部６１の上端縁よりも上方に配されている。ロック板部６２の前端縁は、起立部６１の後端縁と連続している。上述の第２抜止部５７は、前後方向においてロック板部６２よりも前方に位置し、第２前壁部４８より後方に位置している。
【００５２】
本実施例１では、第２基部４５における積層方向外面（下面）を、最外面４５Ｓと定義する。第２基部４５には、最外面４５Ｓから積層方向外方に突出した連設リブ７０が形成されている。連設リブ７０は、第２基部４５の後端部（第１抜止部２７及び第２抜止部５７より後方）に形成されている。連設リブ７０は、コネクタ１が相手側コネクタ（図示省略）と嵌合したときに相手側コネクタの内側に入り込まない位置に配されており、相手側コネクタの外側に露出した状態で配される。したがって、相手側コネクタ（図示省略）の高さ寸法が大きくなることが抑制されている。連設リブ７０の積層方向の突出端面は、水平方向に沿ったフラットな面となっている。
【００５３】
連設リブ７０は、１つの検知リブ７１と、左右対称な一対のガイドリブ７２と、１つの接続リブ７３とからなる。検知リブ７１は、前後方向に細長く、第２基部４５の左右方向中央部に形成されている。検知リブ７１の正面視における断面形状は、方形をなす。ガイドリブ７２は、前後方向に細長く、第２基部４５の左右両端縁に形成されている。ガイドリブ７２の正面視における断面形状は、方形をなす。接続リブ７３は、左右方向に細長く、第２基部４５の後端縁に沿って形成されている。接続リブ７３は、検知リブ７１の後端部及び左右両側のガイドリブ７２の後端部に対し底面視において略直角に連なっている。
【００５４】
検知リブ７１及び左右両側のガイドリブ７２は、前端縁が前後方向に揃っており、検知リブ７１とガイドリブ７２の前端縁は、第１抜止部２７及び第２抜止部５７の後端よりも後方に位置している。検知リブ７１及び左右両側のガイドリブ７２は側面視において重なるように配され、第２基部４５が変形していない状態での側面視においては、検知リブ７１がガイドリブ７２に隠れて目視できない形態となっている。
【００５５】
＜雌端子金具８０＞
雌端子金具８０は、図１３，１４に示すように、導電性の金属板を曲げ加工等することで全体として前後方向に細長い筒状とされている。雌端子金具８０の後端部には、電線８１に圧着される圧着部８２が形成されている。圧着部８２は、電線８１の先端において露出した導体に圧着されるワイヤバレル８３と、導体の外周を覆う絶縁被覆に圧着されるインシュレーションバレル８４とを有している。ワイヤバレル８３の圧着により曲げられた部分は、インシュレーションバレル８４よりも高さ方向内方に引っ込んでいる。
【００５６】
雌端子金具８０には、ワイヤバレル８３の前側に第１溝部８５が形成されており、第１溝部８５の前側に中筒部８６が形成されており、中筒部８６の前側に第２溝部８７が形成されており、第２溝部８７の前側に先端筒部８８が形成されている。第１溝部８５及び第２溝部８７は、高さ方向における圧着部８２が圧着により曲げられる側が、中筒部８６及び先端筒部８８に対して高さ方向内方に凹んで形成されている。第１溝部８５の凹み部分は、ワイヤバレル８３の圧着により曲げられた部分よりも高さ方向内方に引っ込んでいる。
【００５７】
第２溝部８７は、前方に向かって溝が深くなる段差状に形成されており、溝が深い前側の第２前側溝部８７Ａと、溝が浅い後側の第２後側溝部８７Ｂとからなる。また、ワイヤバレル８３の圧着により曲げられた部分、及びインシュレーションバレル８４の圧着により曲げられた部分は、中筒部８６及び先端筒部８８よりも高さ方向内方に引っ込んでいる。
【００５８】
＜コネクタ１の組み立て＞
コネクタ１は以下のようにして組み立てる。まず、第１ハウジング２の第１端子収容室１６及び第２ハウジング３の第２端子収容室４６のそれぞれに雌端子金具８０を挿入する。各雌端子金具８０は、正規位置まで挿入する。全ての雌端子金具８０の挿入作業が完了した後、第１ハウジング２に第２ハウジング３を組み付ける。そのために、まず第１ハウジング２の回動軸部３０を第２ハウジング３の回動軸受部６６に前方から嵌め込む。そして、回動軸部３０を回動軸として第１ハウジング２を第２ハウジング３と重なる方向に回動させると、第１ハウジング２のロック受部３２の傾斜面３２Ａが、第２ハウジング３のロック突部６４に当接する。この状態からさらに第１ハウジング２と第２ハウジング３が重なる方向へ移動させると、ロック突部６４を有するロック板部６２がロック受部３２の傾斜面３２Ａから左右方向外方に押されて撓む。さらに、第１ハウジング２と第２ハウジング３が重なる方向へ移動して、ロック突部６４がロック受部３２の滑り面３２Ｂを越えると、ロック突部６４がロック受部３２からの干渉を受けなくなってロック板部６２の弾性復元力によって元の形状に復帰し、ロック受部３２の受面３２Ｃによって離間方向への移動が規制される。このロック状態では、ロック突部６４がロック受部３２に引っ掛かるだけでなく、回動軸部３０も回動軸受部６６に引っ掛かる。なお、以下では、回動軸部３０と回動軸受部６６とで構成されるロック部を第１ロック部と称し、ロック突部６４とロック受部３２とで構成されるロック部を第２ロック部と称する。
【００５９】
第１ハウジング２と第２ハウジング３は、第１ロック部のロック及び第２ロック部のロックによって積層方向への離間が規制される。また、ロック状態では、第１ハウジング２が、第２ハウジング３の左右両側の側板部６０の内側に嵌まり込む。これにより、第１ハウジング２は、第２ハウジング３に対する左右方向への移動が規制される。
【００６０】
また、第１ロック部のロックによって第１ハウジング２の第２ハウジング３に対する後方への移動が規制される。すなわち、第１ハウジング２が後方へ移動しようとすると、回動軸部３０が第２ハウジング３の回動軸受部６６に当接して、第２ハウジング３に対する後方への移動が規制される。
【００６１】
また、第２ロック部のロックによって第１ハウジング２の第２ハウジング３に対する前方への移動が規制される。すなわち、第１ハウジング２が前方へ移動しようとすると、回動軸部３０が嵌合溝部３１の後面に当接して、第２ハウジング３に対する前方への移動が規制される。また、ロック突部６４が第１ハウジング２の後端リブ３４に当接して、第２ハウジング３に対する前方への移動が規制される。このように、第１ハウジング２と第２ハウジング３が第１ロック部及び第２ロック部によってロックされた状態をロック状態と定義する。なお、第１ロック部及び第２ロック部が本発明の「保持部」に相当する。このロック状態では、ハウジング２，３が積層状態に保持される。
【００６２】
＜半挿入状態の検知＞
ところで、雌端子金具８０は、第１端子収容室１６又は第２端子収容室４６の正規位置まで到達する前段階の半挿入状態では、コネクタ１と相手側コネクタ（図示省略）との嵌合状態において相手側端子金具（図示省略）と接触しないおそれがある。そこで、本実施例１では、以下のようにして半挿入状態を検知可能としている。なお、ここでは、説明の便宜上、第１端子収容室１６に雌端子金具８０を挿入した状態を示すが、第２端子収容室４６に雌端子金具８０を挿入する場合も同様である。
【００６３】
まず、雌端子金具８０が正規位置に挿入された正規挿入状態において、第１ハウジング２と第２ハウジング３が互いにロックされる場合について説明する。雌端子金具８０が第１端子収容室１６に挿入されると、雌端子金具８０の前端部（先端筒部８８）に押されて第１ランス２６が第１端子収容室１６と反対側に撓む。雌端子金具８０が正規位置まで挿入されると、第１ランス２６が弾性復帰して第２溝部８７内に収まる。これにより、第１ランス２６が後方へ移動しようとする雌端子金具８０の第２溝部８７の前端面に当接するので、雌端子金具８０の後方への移動が規制される。このとき、雌端子金具８０の中筒部８６は、第１挿通孔２８の開口領域の前側に配される。
【００６４】
このように正規挿入状態となった第１ハウジング２と第２ハウジング３が第１ロック部及び第２ロック部によって互いにロックされると、図１３に示すように、以下のような状態となる。第１ランス２６と第２ランス５６は、第１背合わせ面２６Ａと第２背合わせ面５６Ａが重なり合って、背合わせの状態となる。これにより、第１ランス２６は、第１端子収容室１６と反対側への移動が第２ランス５６によって規制される。
【００６５】
また、第２抜止部５７が、第１挿通孔２８を通じて第１端子収容室１６内に進入し、雌端子金具８０と干渉することなく第１溝部８５内に収まる。より具体的には、第２干渉後面５７Ａがワイヤバレル８３の圧着により曲げられた部分に沿うように配され、第２干渉前面５７Ｃが雌端子金具８０の第１溝部８５の奥端面に沿うように配される。第２抜止部５７の第２規制面５７Ｄは、後方へ移動しようとする雌端子金具８０における中筒部８６の背面に当接して、雌端子金具８０の後方への移動を規制する。このように、第１ハウジング２と第２ハウジング３は、第２抜止部５７と雌端子金具８０が干渉することなく積層状態に保持される。
【００６６】
これに対し、雌端子金具８０の半挿入状態においては、図１４に示すように、雌端子金具８０の中筒部８６が、第１挿通孔２８の開口領域内（つまり、第２抜止部５７が進入する空間内）に位置している。この状態で第１ハウジング２と第２ハウジング３を互いにロックしようとすると、第１挿通孔２８内に進入した第２抜止部５７が雌端子金具８０の中筒部８６と干渉する。このため、半挿入状態の雌端子金具８０がコネクタ１の左右両端部付近に存在する場合には、第１ハウジング２（ロック受部３２）を第２ハウジング３（ロック板部６２）にロックすることができない。
【００６７】
また、半挿入状態の雌端子金具８０がコネクタ１の左右方向中央部（左右方向においてロック受部３２及びロック板部６２から離れた位置）に存在する場合には、第１ハウジング２（ロック受部３２）と第２ハウジング３（ロック板部６２）を互いに引っ掛けてロックすることは可能である。しかし、第２ハウジング３の第２基部４５が、その最外面４５Ｓの左右方向中央部を下方に張り出させるように弾性的に湾曲変形する。これに伴って、検知リブ７１が下方に張り出す。具体的には、検知リブ７１の下面がガイドリブ７２の下面よりも下方に張り出す。したがって、検知リブ７１の下方への張出の有無を目視確認することによって、半挿入状態の有無を確認することができる。
【００６８】
また、以下のように、検査用冶具９１を用いて、検知リブ７１の下方への張出の有無を検知することもできる。検知リブ７１の下方への張出の有無の検知には、図１５及び図１６に示すように、固定された台座９０と、水平方向に移動可能な検査用冶具９１とが用いられる。検査用冶具９１は、台座９０と水平方向に対向する位置に配され、台座９０側に向けて前進又は後退するように移動可能となっている。なお、検査開始前の状態では、検査用冶具９１は、待機位置に配される。
【００６９】
検査をする際、検知対象のコネクタ１における左右両端のガイドリブ７２のうち、一方のガイドリブ７２を台座９０の上面に載せ、他方のガイドリブ７２を検査用冶具９１の上面に載せる。そして、検査用冶具９１をガイドリブ７２に沿って摺接させて、台座９０側に向けて検査位置まで前進させる。検査位置は、検知リブ７１を鉛直方向に延長した延長線上か、この延長線よりも台座９０側に設定する必要がある。
【００７０】
雌端子金具８０が正規挿入状態にある場合には、図１５に示すように、検知リブ７１の下面の位置は、ガイドリブ７２の下面と上下方向に揃うか、あるいはガイドリブ７２の下面よりも上方に配される。したがって、検査用冶具９１は、検知リブ７１の下方を通過して検査位置まで到達する。これにより、コネクタ１内の雌端子金具８０が全て正規挿入状態にあることを検知することができる。
【００７１】
これに対し、左右方向中央領域内に配された雌端子金具８０が半挿入状態にある場合には、図１６に示すように、検知リブ７１の下面の位置は、ガイドリブ７２の下面よりも下方に張り出す。したがって、検査用冶具９１は、検知リブ７１に当接して検査位置まで到達しない。これにより、コネクタ１内に半挿入状態の雌端子金具８０が含まれていることを検知することができる。
【００７２】
＜実施例１の作用及び効果＞
以上説明したように、本実施例１のコネクタ１は、平板状の第１基部１５を有する第１ハウジング２と、平板状の第２基部４５を有する第２ハウジング３とを備えている。第１ハウジング２と第２ハウジング３は互いに積層状態に組み付けられる。第１ハウジング２には、第１基部１５に沿って複数の雌端子金具８０を左右方向に並列に収容する第１端子収容室１６が形成されている。第２ハウジング３には、第２基部４５に沿って複数の雌端子金具８０を左右方向に並列に収容する第２端子収容室４６が形成されている。コネクタ１は、第１ハウジング２と第２ハウジング３を互いに積層状態に保持する第１ロック部及び第２ロック部を備えている。第１ハウジング２は、第２端子収容室４６に収容された雌端子金具８０の後方への抜けを防止する第１抜止部２７を備えている。第２ハウジング３は、第１端子収容室１６に収容された雌端子金具８０の後方への抜けを防止する第２抜止部５７を備えている。第２ハウジング３は、左右方向中央部に配され、第２基部４５の下面から下方に突出した検知リブ７１を備えている。検知リブ７１は、半挿入状態にある雌端子金具８０と抜止部２７，５７とが干渉した場合に、検知リブ７１が形成された第２基部４５が積層方向外方に撓むことによって、積層方向外方に張り出す。
【００７３】
コネクタ１では、雌端子金具８０が半挿入状態のままハウジング２，３同士を組み付けようとすると、半挿入状態の雌端子金具８０と、この雌端子金具８０が収容されたハウジング２，３に重なり合う別のハウジング２，３の抜止部２７，５７とが干渉する。ゆえに、第１ロック部又は第２ロック部付近において雌端子金具８０が半挿入状態となっている場合には、雌端子金具８０と抜止部２７，５７との干渉によって、ハウジング２，３同士を互いに引っ掛けることができない。一方、第１ロック部及び第２ロック部から離れた位置において雌端子金具８０が半挿入状態である場合には、ハウジング２，３同士を互いに引っ掛けて積層状態に保持することはできる。しかし、この場合には、雌端子金具８０と抜止部２７，５７との干渉によって、第２基部４５が下方に撓む。ゆえに、検知リブ７１は、雌端子金具８０と抜止部２７，５７との干渉が生じない場合と比較して下方に張り出す。したがって、検査用冶具９１等を利用して検知リブ７１の張り出しの有無を目視確認することで、雌端子金具８０が半挿入状態にあるか否かを確認することができる。
【００７４】
また、第２ハウジング３には、第２基部４５の前縁部からリブ状に立ち上がった形態であり、第２端子収容室４６に収容された雌端子金具８０の前方への移動を規制する前壁部１８，４８が設けられている。検知リブ７１は、第２基部４５の後端部に設けられている。
【００７５】
したがって、第２基部４５の前端部は剛性が高くなっている。これに対し、第２基部４５の後端部は、前端部と比較して剛性が弱いので撓みやすくなっている。この撓みやすい位置に検知リブ７１を設けることで、干渉時における雌端子金具８０と抜止部２７，５７の不正な変形等を防止できる。
【００７６】
第２ハウジング３には、第２基部４５の下面の左右両端縁から下方に突出したガイドリブ７２が設けられている。ガイドリブ７２の下面の位置は、検知リブ７１の下面と上下方向に揃っているか、あるいは検知リブ７１の下面よりも下方に位置している。
【００７７】
上述したように、雌端子金具８０が半挿入状態のままハウジング２，３同士を互いに引っ掛けさせると、第２基部４５が下方に撓む。このとき、第２ハウジング３は、第１ロック部及び第２ロック部を支点として撓むので、第１ロック部及び第２ロック部に近い位置ほど撓みにくく、第１ロック部及び第２ロック部から離れた位置ほど撓みやすい。ここで、コネクタ１では、第２基部４５における撓みやすい位置に検知リブ７１を設けており、撓みにくい位置にガイドリブ７２を設けている。そして、ガイドリブ７２の下面の位置は、検知リブ７１の下面と上下方向に揃っているか、または検知リブ７１の下面よりも下方に配されている。ゆえに、第２基部４５が撓んでいない場合には、検知リブ７１の下面は、ガイドリブ７２の下面よりも下方には張り出さない。これに対し、雌端子金具８０と抜止部２７，５７とが干渉して第２基部４５が撓んだ場合には、検知リブ７１の下面は、ガイドリブ７２の下面よりも下方に張り出す。したがって、検査用冶具９１をガイドリブ７２の下面に摺設させた状態で検知リブ７１側に水平移動させた場合、雌端子金具８０が半挿入状態であれば検査用冶具９１が検知リブ７１に当接し、雌端子金具８０が半挿入状態でなければ検査用冶具９１が検知リブ７１に当接しない。このように、ガイドリブ７２の下面を基準位置とすることで、雌端子金具８０の半挿入状態を簡単且つ正確に検知することが可能となる。
【００７８】
＜他の実施例＞
本発明は上記記述及び図面によって説明した実施例１に限定されるものではなく、例えば次のような実施例も本発明の技術的範囲に含まれる。
（１）上記実施例１では、ロック部がコネクタの左右両端縁に設けられている。しかし、ロック部はコネクタにおける左右両端縁のうち一端のみに設けてもよいし、左右両端縁以外の位置（例えば左右方向中央部）に設けてもよい。
（２）上記実施例１では、ロック部が、第１ロック部と第２ロック部で２つあるが、いずれか１つであってもよい。すなわち、コネクタの左右両側において前後方向全幅に亘ってロックするようにしているが、前後方向における一部のみをロックするようにしてもよい。
（３）接続リブはなくてもよい。また、ガイドリブもなくてもよい。
【符号の説明】
【００７９】
１…コネクタ
２…第１ハウジング（ハウジング）
３…第２ハウジング（ハウジング）
１０…第１端子収容部
１５…第１基部（基部）
１６…第１端子収容室（端子収容室）
１８…第１前壁部
２７…第１抜止部（抜止部）
３０…回動軸部（保持部の一部）
３１…嵌合溝部（保持部の一部）
３２…ロック受部（保持部の一部）
４０…第２端子収容部
４５…第２基部（基部）
４５Ｓ…最外面
４６…第２端子収容室（端子収容室）
４８…第２前壁部（前壁部）
５７…第２抜止部（抜止部）
６４…ロック突部（保持部の一部）
６６…回動軸受部（保持部の一部）
７０…連設リブ
７１…検知リブ
７２…ガイドリブ
７３…接続リブ
８０…雌端子金具（端子金具）
９１…検査用冶具
【図１】
2019149224.tif 000003
【図２】
2019149224.tif 000004
【図３】
2019149224.tif 000005
【図４】
2019149224.tif 000006
【図５】
2019149224.tif 000007
【図６】
2019149224.tif 000008
【図７】
2019149224.tif 000009
【図８】
2019149224.tif 000010
【図９】
2019149224.tif 000011
【図１０】
2019149224.tif 000012
【図１１】
2019149224.tif 000013
【図１２】
2019149224.tif 000014
【図１３】
2019149224.tif 000015
【図１４】
2019149224.tif 000016
【図１５】
2019149224.tif 000017
【図１６】
2019149224.tif 000018